(57)【要約】【課題】内部に収納したＩＣタグが破損し難い構造で、汎用性の高いＩＣタグ用インレットを冊子に容易に取り付けることができ、しかも、インレットを取り付けたページおよびその前後のページを冊子内の通常のページのように印刷情報の表示能力やデザイン性に優れた利用を可能にする構造を有するＩＣタグ付き冊子を提供すること。【解決手段】ＩＣチップ４１とアンテナ４２とを連結した非接触型のＩＣタグ４を有し、可撓性のある部分に切り込み３を有する平板状用紙２１の切り込みの中央３９付近に相対するように前記ＩＣチップを重ねて配置する。【選択図】図１
2012014611.tif 000002
【特許請求の範囲】
【請求項１】
ＩＣチップとアンテナとを連結した非接触型のＩＣタグを有し、可撓性のある部分に切り込みを有する平板状用紙の切り込みの中央付近に相対するように前記ＩＣチップを重ねて配置することを特徴とするＩＣタグ付き冊子。
【請求項２】
前記切り込みが、前記平板状用紙の一点を切り込みの中央としてそこから放射状に３本以上あることを特徴とする請求項１に記載のＩＣタグ付き冊子。
【請求項３】
前記放射状の切り込みの放射方向の各端部を繋いで得られる最大の領域が、前記ＩＣチップの大きさを超えることを特徴とする請求項２に記載のＩＣタグ付き冊子。
【請求項４】
前記ＩＣチップが、前記切り込みを有する平板状用紙にも、該平板状用紙に相対して冊子を構成する他の平板状用紙にも直接には接着されず、ＩＣタグの中のＩＣチップから離れた部分を介して接着することにより、前記いずれかの平板状用紙に連結していることを特徴とする請求項１〜３のいずれかに記載のＩＣタグ付き冊子。
【請求項５】
前記切り込みを有する平板状用紙が、冊子の表紙と裏表紙とを除く冊子の内側に配置され、前記切り込みに相対するＩＣチップを含むＩＣタグと前記切り込みとが、ともに閉じた冊子の外から隠されていることを特徴とする請求項１〜４のいずれかに記載のＩＣタグ付き冊子。
【発明の詳細な説明】
【技術分野】
【０００１】
本発明は、固有の識別情報を格納したＩＣチップと、この識別情報を送受信するアンテナとからなる非接触型のＩＣタグを有するＩＣタグ付き冊子に関する。
【背景技術】
【０００２】
近年、非接触ＩＣカードや非接触ＩＣタグを用いたシステムが普及している。例えば、パスポートや預貯金通帳冊子にＩＣチップを含む非接触ＩＣモジュールとそれに接続されたアンテナとからなるＩＣインレットを外装基材で挟み込んだ非接触ＩＣ内蔵用紙を非接触型情報媒体とし、この非接触型情報媒体を表紙等に貼り合わせて装填した、電子データの記入や印字が可能な非接触型情報媒体付属冊子が、ＩＣタグ付き冊子として開発され公知となっている。
【０００３】
非接触ＩＣカードや非接触ＩＣ付き冊子（パスポート等）などの如きにＩＣチップを内蔵し、非接触状態で識別情報の送受信を行ってこの識別情報の記録・消去などが行える情報記録メディア（ＲＦＩＤ(Radio Frequency Identification)）の用途に用いられる非接触型ＩＣインレットは、絶縁性を有する有機基材上に金属（銅やアルミニウム）の導電材よりなるアンテナとこれに接続するＲＦＩＤ用ＩＣチップを実装した構成を有しており、ＩＣタグとして利用されている。
【０００４】
特に、リーダからの電波をエネルギー源として動作するパッシブタイプの非接触型ＩＣタグは、近年、安価に生産できるようになり、日常的な大量使用の用途に対して、種々の応用が提案されている。
【０００５】
例えば、ＩＣインレットを用いたＩＣタグを書籍や雑誌等の冊子に付けて、生産履歴管理から小売店での販売管理を含む物流管理全般や商品の品質表示、盗難防止を目的として利用されることも多くなってきた。上記のような日常的な大量使用の用途に適うように、ＩＣタグに使用されるＩＣチップを冊子内に取り付け、冊子を積み重ねても破損を免れる構造を容易に作るために、種々の提案がなされている。
【０００６】
例えば、特許文献１には、書籍や雑誌に貼り込み製本が可能な板紙状紙片の一部にＩＣチップを嵌め込める凹溝や透孔を形成してＩＣチップを装着し、印刷したアンテナパターンを接続する構造が提案されている。また、特許文献２には、本文の背部にＩＣタグ用インレットを貼着し、その上から表紙を被せて見えなくするとともに外部からの圧力を受け難い構造の合紙絵本が提案されている。
【先行技術文献】
【特許文献】
【０００７】
【特許文献１】特開２００４−３３４２６８号公報
【特許文献２】特開２００６−２９７７７１号公報
【発明の概要】
【発明が解決しようとする課題】
【０００８】
特許文献１にあるようなＩＣタグ付き冊子においては、紙片タグとして専用のＩＣタグを製造する必要があり、ＩＣチップを納める凹溝等の難度の高い加工を板紙状紙片に施さなければならないので製造コストが高くなる。さらに、凹溝や透孔の加工がなされた紙片はページの一部が欠損することになり、印刷情報の表示能力やデザイン性に劣る。
また、特許文献２で提案されるＩＣタグ付き冊子では、製本時にＩＣタグ用インレットを
背部に取り付ける工程が繁雑であり、コスト高となる。
【０００９】
本発明は、前記の問題点に鑑みて提案するものであり、本発明が解決しようとする課題は、冊子を積み重ねて圧力が高くなってもチップ本体やチップとアンテナとの接合部の破損の恐れが無いようなＩＣタグ収納のための構造を有するという従来からの課題に加えて、汎用性の高いＩＣタグ用インレットを冊子に容易に取り付けることができ、しかも、インレットを取り付けたページおよびその前後のページを冊子内の通常のページのように印刷情報の表示能力やデザイン性に優れた利用を可能にする構造を有するＩＣタグ付き冊子を提案することである。
【課題を解決するための手段】
【００１０】
上記の課題を解決するための手段として、請求項１に記載の発明は、ＩＣチップとアンテナとを連結した非接触型のＩＣタグを有し、可撓性のある部分に切り込みを有する平板状用紙の切り込みの中央付近に相対するように前記ＩＣチップを重ねて配置することを特徴とするＩＣタグ付き冊子である。
【００１１】
また、請求項２に記載の発明は、前記切り込みが、前記平板状用紙の一点を切り込みの中央としてそこから放射状に３本以上あることを特徴とする請求項１に記載のＩＣタグ付き冊子である。
【００１２】
また、請求項３に記載の発明は、前記放射状の切り込みの放射方向の各端部を繋いで得られる最大の領域が、前記ＩＣチップの大きさを超えることを特徴とする請求項２に記載のＩＣタグ付き冊子である。
【００１３】
また、請求項４に記載の発明は、前記ＩＣチップが、前記切り込みを有する平板状用紙にも、該平板状用紙に相対して冊子を構成する他の平板状用紙にも直接には接着されず、ＩＣタグの中のＩＣチップから離れた部分を介して接着することにより、前記いずれかの平板状用紙に連結していることを特徴とする請求項１〜３のいずれかに記載のＩＣタグ付き冊子である。
【００１４】
また、請求項５に記載の発明は、前記切り込みを有する平板状用紙が、冊子の表紙と裏表紙とを除く冊子の内側に配置され、前記切り込みに相対するＩＣチップを含むＩＣタグと前記切り込みとが、ともに閉じた冊子の外から隠されていることを特徴とする請求項１〜４のいずれかに記載のＩＣタグ付き冊子である。
【発明の効果】
【００１５】
本発明は、以上の構成であり、冊子を閉じた際に、平板状用紙に設けた切り込みに相対するＩＣチップの凸部が押し付ける力によって、切り込み部分の用紙を撓み易くしてあるので、冊子を積み重ねてＩＣチップにかかる圧力が高くなっても、チップ本体やチップとアンテナとの接合部の破損の恐れが無いようなＩＣタグ収納のための構造を有するとともに、汎用性の高いＩＣタグ用インレットを冊子に容易に取り付けることができ、しかも、インレットを取り付けたページおよびその前後のページを冊子内の通常のページのように印刷情報の表示能力やデザイン性に優れた利用を可能にする構造を有するＩＣタグ付き冊子を提供することができる。
【図面の簡単な説明】
【００１６】
【図１】本発明のＩＣタグ付き冊子の構造を説明するための概略斜視図である。
【図２】本発明の切り込み構造による圧力緩和効果を説明するための模式平面図であって、（ａ）は切り込み変形前、（ｂ）は切り込み変形後を示す。
【図３】本発明における切り込みとＩＣチップとの位置関係を説明するための模式断面図である。
【図４】本発明の切り込み形成の方法と切り込み構造による圧力緩和効果を、（ａ）、（ｂ）の切り込み部の異なる２例について説明するための模式断面図であって、２例それぞれの切り込み形成工程（１）、切り込みとＩＣチップとの接近状態（２）、両者の圧接状態（３）を示す。
【図５】本発明の切り込み形成の例を（ａ）〜（ｄ）の各種について説明するための模式平面図である。
【発明を実施するための形態】
【００１７】
以下に、本発明を実施するための形態を図面を用いて詳細に説明する。
【００１８】
図１のＩＣタグ付き冊子の構造を説明するための冊子を開いた状態の概略斜視図に示すように、本発明のＩＣタグ付き冊子１の構造は、ＩＣインレット基材４０上にパターン形成したアンテナ４２とＩＣチップ４１とを連結した非接触型のＩＣタグ４を有し、可撓性のある部分に切り込み３を有する平板状用紙２１の切り込みの中央３９付近に相対するように前記ＩＣチップ４１を重ねて配置するものである。
【００１９】
前記切り込みの中央３９付近に相対するように重ねて配置する前記ＩＣチップ４１とは、冊子を閉じた時に両者が少なくともチップサイズ程度の誤差範囲内で重なるという意味であり、図１では、ＩＣチップ４１を含むＩＣタグ４が、切り込み３を有する平板状用紙２１と相対する平板状用紙２２に連結した例を示しているが、これに限定されない。即ち、ＩＣタグ４は、切り込み３を有する平板状用紙２１に連結されていても良い。また、連結の内容が、少なくとも一部を接着して固定化するものとは限らず、クリップ等で仮留めされたものも可能である。さらに、冊子が開いた状態でのＩＣタグ４と平板状用紙２１または２２との連結は必然ではなく、書籍と一体的に利用する栞と同様に、冊子が開いた状態では、ＩＣタグ４が冊子本体とは離れており、冊子を閉じる際に所定の適正な位置にＩＣタグを挟むことによって、両者を一体と見なして、ＩＣタグ付き冊子とすることもできる。
【００２０】
前記切り込み３を有する平板状用紙２１は、書籍等の冊子に一般的に利用される紙やプラスチックフィルム等の可撓性のある材料を利用できる他、剛性の高い素材の一部を可撓性材料に置き換えて、前記切り込み３を可撓性のある部分に設けることも可能である。切り込みを形成する方法は特に限定されないが、後述のくさび形状を有するブレードにより、切り込みの断面形状を制御できる。
【００２１】
ＩＣタグ４は、樹脂シート等からなるＩＣインレット基材４０を下地として、アルミニウム等を素材とするアンテナ４２をエッチング方式や印刷方式でパターン化し、ＩＣチップ４１を実装して形成される。ＩＣチップの実装において、適宜リードフレーム等によるＩＣモジュール化が行われるが、詳細は省略し、本説明では、結線、樹脂封止等を含めたＩＣモジュールを便宜的にＩＣチップで代表させる。
【００２２】
前記ＩＣタグ４を冊子中に設ける際に、冊子の表紙または裏表紙２５や複数のその他の平板状用紙２３を含めて冊子として閉じる場合の物理的障害となる最大のものは、前記ＩＣチップ４１である。ＩＣチップの厚さは、通常、０．０６〜０．１７ｍｍであるが、上述の実装部分による厚さ方向のかさ上げも伴って、平板状用紙や表紙との間での障害物となり、結果的にＩＣチップ本体やチップとアンテナとの接合部の破損の恐れが生じる。
【００２３】
本発明は、チップ本体やチップとアンテナとの接合部の破損を生じないように、ＩＣチップを平板状用紙２１の切り込みの中央３９付近に相対するように重ねて配置することを特徴とするものである。切り込み構造による圧力緩和効果を、図２〜図４に従って説明する。
【００２４】
図２は、本発明の切り込み構造による圧力緩和効果を説明するための模式平面図であって、（ａ）は切り込み変形前、（ｂ）は切り込み変形後を示す。切り込み３１を有する平板状用紙２１において、切り込みの中央付近に重なるように相対するＩＣチップ４３が接近する（ａ）。ＩＣチップ４３が（ｂ）のように切り込みの中央付近に押し付けられると、切り込み３２のように、可撓性のある材料の切れ目から平板状用紙２１は容易に押し広げられ、ＩＣチップ４３への圧力は緩和される。例えば、厚さ０．１８ｍｍの切り込みを作らない紙片にＩＣタグを２ＭＰａの圧力で押し付けた場合は、ＩＣタグは通信不能となるが、同じ紙片に縦横の長さ２ｃｍの十字切り込みを作製し、この中心に同じＩＣタグを同様に押し付けた場合は、通信障害は生じない。
【００２５】
平板状用紙２１の相対するＩＣチップ４３とは反対側の面には、その他の平板状用紙２３が重なるので、平板状用紙２１の切り込み３２が全く自由に押し広げられる訳ではないが、切り込みが無く連続した用紙をＩＣチップ４３に押し付けた場合の圧力と比較して、その圧力は大きく減じる。平板状用紙２１の相対するＩＣチップ４３とは反対側の面に重なるその他の平板状用紙２３は、それぞれの間が何がしかの空隙層を隣り合う平板状用紙との間に有するものであり、空隙層がＩＣチップ４３に対する圧力の緩衝効果を与えることができる。
【００２６】
図３は、本発明における切り込みとＩＣチップとの位置関係を説明するための模式断面図である。切り込みを有する平板状用紙２１の切り込み３１と相対する位置に、ＩＣインレット基材４０上に接続されたＩＣチップ４１を平面配置した後に、切り込み３１とＩＣチップ４１との間隔をブロック矢印の方向に変えることができる。
【００２７】
図４は、本発明の切り込み形成の方法と切り込み構造による圧力緩和効果を、（ａ）、（ｂ）の切り込み部の異なる２例について説明するための模式断面図であって、２例それぞれの切り込み形成工程（１）、切り込みとＩＣチップとの接近状態（２）、両者の圧接状態（３）を示す。切り込み３１の形成工程（１）は、（ａ）（ｂ）それぞれ異なる方向からくさび６からなるブレードを可撓性部材の平板状用紙に打ち込んで、図の点線で示すＶ字型の溝を形成する。平板状用紙として、例えば、厚さ０．１８ｍｍの紙片が利用できる。その後、（２）切り込み３１のＶ字の開口側からＩＣチップ４１を接近させる場合（ａ）も、Ｖ字の閉じた側からＩＣチップ４１を接近させる場合（ｂ）もいずれも可能である。
【００２８】
次に、切り込み３１とＩＣチップ４１との圧接状態（３）では、図に示すように、平板状用紙２４が、（ａ）（ｂ）それぞれの形態に、切り込み３２を作っている平板状用紙２４の端部で撥ね上げられるので、ＩＣチップ４１に対する圧力は小さくなる。即ち、ＩＣチップに対する柔構造の被覆体として平板状用紙２４が接することになる。これは特にＩＣチップ４１の厚みが平板状用紙２４の厚みと同じか、平板状用紙２４の厚みよりも薄い場合に圧力緩和の効果が大きい。平板状用紙２４の端部（切り込みした傾斜部分）が荷重により折れ曲がり、ＩＣチップ４１に圧接した部分の平板状用紙２４の厚みをＩＣチップ４１の厚みと同程度に低減するためである。
【００２９】
またザグリ加工等でより大きく傾斜を付けて、ＩＣチップのカドに傾斜部分が相当するようにすれば、さらに厚みを低減し圧力緩和させることができる。図４（ａ）のようにＩＣチップのカドに傾斜部分が当接するように傾斜を設けた場合、（３）のように平板状用紙２４の変形部分を小さくできる。また図４（ｂ）のようにＩＣチップ側と反対の面に傾斜を設けた場合、厚みを低減しかつ切れ込みの開口を小さくすることができる。
【００３０】
上述のような切り込みを有効に働かせるためには、切り込みを一点から放射状に多数、しかも充分な長さで形成することが有利である。しかし、切り込みを設ける平板状用紙に、冊子内の通常のページと同様な印刷情報の表示や優れたデザイン性を可能にし、しかも切り込みを形成する手間を過剰に要しないことを考慮すれば、適正な切り込みの形態が望ましい。切り込みの長さとして、例えば縦横長さ２ｃｍの十字切り込み、放射状の線分長で表して各１ｃｍの４本の切り込みが例示される。
【００３１】
図５は、本発明の切り込み形成の例を（ａ）〜（ｄ）の各種について説明するための模式平面図である。いずれも平板状用紙２１の一点を切り込みの中央として、そこから放射状に複数本の切り込み３を設けたものである。複数本の各線分は簡単のために直線状に表したが、限定されず、曲線状の線分も可能である。切り込みに相対するＩＣチップ４３は、破線の四角形で表すように、ＩＣチップの中心と切り込みの中央の位置とが略一致するような配置で使用される。
【００３２】
図５の（ａ）は、３本の放射状線分に沿って切り込みとした例であって、ＩＣチップに対する柔構造の被覆体として有効に働かせるには、本図のように少なくとも３本の切り込みを有することが望ましい。（ｂ）、（ｄ）のように、放射状の４本、６本の切り込みを設けることも可能であるが、例えば１０本以上とするなど過剰な数の切り込みを設けることは、上述のように、多く設けることの価値が乏しいだけでなく、平板状用紙への印刷情報の表示や優れたデザイン性を損なう結果も生じることがある。なお、放射状の複数の切り込み線分間の角度は、例えば、一つの大きい角度が１８０度を超えるような極端なアンバランスは避けた方が良いという意味で、できるだけ等分に設けることが好ましい。
【００３３】
また、放射状の切り込みの放射方向の各端部を繋いで得られる最大の領域３５が、点線で示すように、前記ＩＣチップの大きさを超えることが、切り込みによる撓み易さを保証する上で望ましい。前記放射状の切り込みの放射方向の各端部を繋いで得られる最大の領域３５とは、図５の（ａ）、（ｂ）、（ｄ）、においては、全ての切り込みの中心から放射方向に伸びる端部を全て繋いだ領域と同義であるが、図５の（ｃ）に示すように、短小で効果の小さい切り込み３３を含む例では、全ての切り込みの中心から放射方向に伸びる端部を全て繋いだ領域は、放射状の切り込みの放射方向の各端部を繋いで得られる最大の領域３５より狭い領域となる。従って、短小で効果の小さい切り込み３３の端部を除いて、放射状の切り込みの放射方向の各端部を繋いで得られる最大の領域を得ることができる。
【００３４】
次に、本発明は、図１に示すＩＣタグ付き冊子において、ＩＣタグ４の盛り上がり部分を構成するＩＣチップ４１が、冊子を閉じた状態で相対する位置にくる切り込み３を押し開くことによって、切り込みを有する平板状用紙２１を柔構造の被覆体として有効に働かせることが肝要である。また、本図では切り込みと相対してＩＣタグと連結する平板状用紙２２ともＩＣチップ４１の部分では固定的な連結はＩＣチップへの圧力を高めることになるので好ましくない。従って、本発明では、前記ＩＣチップ４１が、前記切り込みを有する平板状用紙２１にも、該平板状用紙に相対して冊子を構成する他の平板状用紙２２にも直接には接着されず、ＩＣタグ４の中のＩＣチップ４１から離れた部分を介して接着することにより、前記いずれかの平板状用紙に連結していることを特徴とする。図で、用紙とＩＣタグとの接着領域５２は破線円の外の領域とし、破線円で囲まれた領域は用紙とＩＣタグとの非接着領域５１として、ＩＣチップ４１とその近傍部を固定しない状態で使用するものである。
【００３５】
また、本発明は、優れたデザインを前提として、上述の各特徴を有するＩＣタグ付き冊子を提供するものであるから、前記切り込み３を有する平板状用紙２１が、冊子の表紙と裏表紙２５とを除く冊子の内側に配置され、前記切り込み３に相対するＩＣチップ４１を
含むＩＣタグ４と前記切り込み３とが、ともに閉じた冊子の外から隠されていることを特徴とするものである。
【符号の説明】
【００３６】
１・・・ＩＣタグ付き冊子
３・・・切り込み
４・・・ＩＣタグ
６・・・くさび
２１・・・切り込みを有する平板状用紙
２２・・・切り込みと相対してＩＣタグと連結する平板状用紙
２３・・・その他の平板状用紙
２４・・・切込みにより変形した平板状用紙
２５・・・表紙または裏表紙
３１・・・切り込み（変形前）
３２・・・切り込み（変形時）
３３・・・効果の小さい切り込み
３５・・・切り込みの放射方向の各端部を繋いで得られる最大の領域
３９・・・切り込みの中央
４０・・・ＩＣインレット基材
４１・・・ＩＣチップ
４２・・・アンテナ
４３・・・相対するＩＣチップ
５１・・・用紙とＩＣタグとの非接着領域
５２・・・用紙とＩＣタグとの接着領域
【図１】
2012014611.tif 000003
【図２】
2012014611.tif 000004
【図３】
2012014611.tif 000005
【図４】
2012014611.tif 000006
【図５】
2012014611.tif 000007